【手続補正書】
【提出日】平成25年3月27日(2013.3.27)
【手続補正１】
【補正対象書類名】特許請求の範囲
【補正対象項目名】全文
【補正方法】変更
【補正の内容】
【特許請求の範囲】
【請求項１】
基板上に配置された画素回路と、前記画素回路を駆動する駆動回路とを備える発光装置であって、
前記画素回路は、
第１給電線に対応して設けられた第１回路と、
第２給電線に対応して設けられた第２回路と、を具備し、
前記第１回路は、
第１電極及び前記第１電極に対向する第２電極を有する第１発光素子と、一端が前記第１電極に電気的に接続され且つ他端が前記第１給電線に電気的に接続された第１駆動トランジスタと、前記第１駆動トランジスタのゲートの電位を保持するための第１容量素子と、前記第１駆動トランジスタのゲートとデータ線との間に設けられる第１スイッチング素子と、を含み、
前記第１発光素子の出射光は、前記第１発光素子からみて前記基板とは反対側から取り出され、
前記第２回路は、
第３電極及び前記第３電極に対向する前記第２電極を有する第２発光素子と、一端が前記第３電極に電気的に接続され且つ他端が前記第２給電線に電気的に接続された第２駆動トランジスタと、前記第２駆動トランジスタのゲートの電位を保持するための第２容量素子と、前記第２駆動トランジスタのゲートとデータ線との間に設けられる第２スイッチング素子と、を含み、
前記第２発光素子の出射光は、前記基板側から取り出され、
前記駆動回路は、
前記第１発光素子からみて前記基板とは反対側に前記第１回路によって画像を表示させる一方、前記基板側に画像を表示させない場合は、
前記第１給電線の電位を、前記第１発光素子の前記第１電極と前記第２電極との間の電圧が当該第１発光素子の発光閾値電圧を上回るような値に設定し、前記第２給電線の電位を、前記第２発光素子の前記第３電極と前記第２電極との間の電圧が当該第２発光素子の発光閾値電圧を下回るような値に設定し、
前記第１発光素子からみて前記基板とは反対側に画像を表示させない一方、前記基板側に前記第２回路によって画像を表示させる場合は、
前記第１給電線の電位を、前記第１発光素子の前記第１電極と前記第２電極との間の電圧が当該第１発光素子の発光閾値電圧を下回るような値に設定し、前記第２給電線の電位を、前記第２発光素子の前記第３電極と前記第２電極との間の電圧が当該第２発光素子の発光閾値電圧を上回るような値に設定する、
ことを特徴とする発光装置。
【請求項２】
前記駆動回路は、
前記第１発光素子からみて前記基板とは反対側に前記第１回路によって画像を表示させる一方、前記基板側に画像を表示させない場合は、前記第１スイッチング素子をオン状態、前記第２スイッチング素子をオフ状態に設定し、
前記第１発光素子からみて前記基板とは反対側に画像を表示させない一方、前記基板側に前記第２回路によって画像を表示させる場合は、前記第１スイッチング素子をオフ状態、前記第２スイッチング素子をオン状態に設定する、
ことを特徴とする請求項１に記載の発光装置。
【請求項３】
各々が第１方向に延在する複数の第１走査線と、
前記複数の第１走査線と１対１に対応して設けられる複数の第２走査線と、
前記第１方向とは異なる第２方向に各々が延在する複数のデータ線と、
前記複数の第１走査線および第２走査線と、前記複数のデータ線との各交差に対応して配置される複数の画素回路と、
前記各画素回路を駆動する駆動回路と、を具備し、
前記各画素回路は、
基板上に配置され、
第１給電線に対応して設けられた第１回路と、
第２給電線に対応して設けられた第２回路とを備え、
前記第１回路は、第１電極及び前記第１電極に対向する第２電極を有する第１発光素子と、一端が前記第１電極に電気的に接続され且つ他端が前記第１給電線に電気的に接続された第１駆動トランジスタと、前記第１駆動トランジスタのゲートの電位を保持するための第１容量素子と、前記第１駆動トランジスタのゲートと前記データ線との間に設けられて前記第１走査線の選択時に両者を導通させる第１スイッチング素子と、を含み、
前記第１発光素子の出射光は、前記第１発光素子からみて前記基板とは反対側から取り出され、
前記第２回路は、第３電極及び前記第３電極に対向する前記第２電極を有する第２発光素子と、一端が前記第３電極に電気的に接続され且つ他端が前記第２給電線に電気的に接続された第２駆動トランジスタと、前記第２駆動トランジスタのゲートの電位を保持するための第２容量素子と、前記第２駆動トランジスタのゲートとデータ線との間に設けられて前記第２走査線の選択時に両者を導通させる第２スイッチング素子と、を含み、
前記第２発光素子の出射光は前記基板側から取り出され、
前記駆動回路は、
前記第１発光素子からみて前記基板とは反対側に前記第１回路によって画像を表示させる一方、前記基板側に画像を表示させない場合は、
選択期間ごとに、前記各第１走査線を順番に選択する一方、前記各第２走査線は選択せずに、前記第１給電線の電位を、前記第１発光素子の前記第１電極と前記第２電極との間の電圧が当該第１発光素子の発光閾値電圧を上回るような値に設定し、前記第２給電線の電位を、前記第２発光素子の前記第３電極と前記第２電極との間の電圧が当該第２発光素子の発光閾値電圧を下回るような値に設定し、
前記第１発光素子からみて前記基板とは反対側に画像を表示させない一方、前記基板側に前記第２回路によって画像を表示させる場合は、
選択期間ごとに、前記各第２走査線を順番に選択する一方、前記各第１走査線は選択せずに、前記第１給電線の電位を、前記第１発光素子の前記第１電極と前記第２電極との間の電圧が当該第１発光素子の発光閾値電圧を下回るような値に設定し、前記第２給電線の電位を、前記第２発光素子の前記第３電極と前記第２電極との間の電圧が当該第２発光素子の発光閾値電圧を上回るような値に設定する、
ことを特徴とする発光装置。
【請求項４】
請求項１から請求項３の何れかに記載の発光装置を具備する電子機器。
【請求項５】
基板上に配置された画素回路と、前記画素回路を駆動する駆動回路とを備え、前記画素回路は、第１給電線に対応して設けられた第１回路と、第２給電線に対応して設けられた第２回路と、を具備し、前記第１回路は、第１電極及び前記第１電極に対向する第２電極を有する第１発光素子と、一端が前記第１電極に電気的に接続され且つ他端が前記第１給電線に電気的に接続された第１駆動トランジスタと、前記第１駆動トランジスタのゲートの電位を保持するための第１容量素子と、を含み、前記第１発光素子の出射光は、前記第１発光素子からみて前記基板とは反対側から取り出され、前記第２回路は、第３電極及び前記第３電極に対向する前記第２電極を有する第２発光素子と、一端が前記第３電極に電気的に接続され且つ他端が前記第２給電線に電気的に接続された第２駆動トランジスタと、前記第２駆動トランジスタのゲートの電位を保持するための第２容量素子と、を含み、前記第２発光素子の出射光は前記基板側から取り出される構成の発光装置の駆動方法であって、
前記第１発光素子からみて前記基板とは反対側に前記第１回路によって画像を表示させる一方、前記基板側に画像を表示させない場合は、
前記第１駆動トランジスタのゲートの電位を、画像データに応じたデータ電位に設定し、前記第１給電線の電位を、前記第１発光素子の前記第１電極と前記第２電極との間の電圧が当該第１発光素子の発光閾値電圧を上回るような値に設定し、前記第２給電線の電位を、前記第２発光素子の前記第３電極と前記第２電極との間の電圧が当該第２発光素子の発光閾値電圧を下回るような値に設定し、
前記第１発光素子からみて前記基板とは反対側に画像を表示させない一方、前記基板側に前記第２回路によって画像を表示させる場合は、
前記第２駆動トランジスタのゲートの電位を、画像データに応じたデータ電位に設定し、前記第１給電線の電位を、前記第１発光素子の前記第１電極と前記第２電極との間の電圧が当該第１発光素子の発光閾値電圧を下回るような値に設定し、前記第２給電線の電位を、前記第２発光素子の前記第３電極と前記第２電極との間の電圧が当該第２発光素子の発光閾値電圧を上回るような値に設定する、
ことを特徴とする駆動方法。